(57)【要約】【課題】取り付け作業を容易にし、複数の分岐線を所定の位置に配置した状態を保ちつつ設置物に支持可能な分岐線支持具を提供することを課題とする。【解決手段】複数の分岐線Ｃ，Ｃ…を所定の位置に配置可能な配置領域Ｄ，Ｄ…を複数形成する支持具本体１を備える分岐線支持具において、前記支持具本体１は、前記複数の分岐線Ｃ，Ｃ…の周辺に配置される設置物の外面に配置されるベース１０と、前記配置領域Ｄ，Ｄ…を形成する配置領域形成体１１とを備え、該配置領域形成体１１は、前記ベース１０から延出する第一区画部１２と、該第一区画部１１が延出する方向に交差する方向に延出する複数の第二区画部１２とを備え、前記第一区画部１１及び前記複数の第二区画部１２ａ，１２ｂのうちの少なくとも何れか一つの先端部が帯状又は線状の長尺体２を挿通可能に構成されていることを特徴とする。【選択図】図１
2012161152.tif 000002
【特許請求の範囲】
【請求項１】
複数の幹線から分岐された用途の異なる複数の分岐線のそれぞれを所定位置に配置すべく、分岐線を配置する配置領域が複数設定された支持具本体を備えた分岐線支持具において、前記支持具本体は、前記複数の分岐線の周辺に設置された設置物の外面上に配置されるベースと、前記複数の配置領域を形成する配置領域形成体とを備え、該配置領域形成体は、前記ベースから延出する第一区画部と、該第一区画部が延出する方向と交差する方向に該第一区画部から延出する複数の第二区画部とを備え、前記第一区画部及び前記複数の第二区画部が複数の配置領域を区画するとともに、前記第一区画部及び前記複数の第二区画部の少なくとも何れか一つが帯状又は線状の長尺体を挿通可能に構成されていることを特徴とする分岐線支持具。
【請求項２】
前記配置領域形成体は、第一区画部及び前記複数の第二区画部のそれぞれが前記長尺体を挿通可能に構成され、第一区画部及び第二区画部に挿通された前記長尺体が各配置領域に配置された分岐線の外周に圧接するように構成されていることを特徴とする請求項１に記載の分岐線支持具。
【請求項３】
前記第一区画部及び前記複数の第二区画部は、長尺体を挿通する部分に対して先端側で隣接し、基端側に向かって突出する円弧状に形成された保護部を備えることを特徴とする請求項２に記載の分岐線支持具。
【請求項４】
前記第二区画部は、第一区画部に対して着脱可能に構成されていることを特徴とする請求項１乃至３の何れか一項に記載の分岐線支持具。
【発明の詳細な説明】
【技術分野】
【０００１】
本発明は、架設された複数の幹線のそれぞれから分岐された複数の分岐線を支持するための分岐線支持具に関し、より詳しくは、複数の分岐線を周辺に設置された設置物に間接的に支持させるための分岐線支持具に関する。
【背景技術】
【０００２】
従来から、需要者に電力を供給するために複数の幹線のそれぞれから分岐された複数の分岐線は、分岐元の幹線から垂れ下がった状態になることから、周辺に配置された設置物（例えば、電柱や、電柱に取付けられた腕金等）に取付けられた分岐線支持具によって支持されている。
【０００３】
かかる分岐線支持具は、基端部が前記設置物に取付けられる棒状部材と、該棒状部材が挿通される一対の挟持体とを備えている。前記一対の挟持体のそれぞれは、互いに対向する面の所定の位置に分岐線が嵌め合わされる溝が複数形成されている。そして、上記構成の分岐線支持具は、前記棒状部材に螺合されたナット部材を締め付けることによって、一方の挟持体が他方の挟持体に押し付けられるようになっており、一対の挟持体の各溝にケーブルが嵌め合わされた状態でナット部材を締め付けることによって、一対の挟持体が複数の分岐線を位置決めした状態で挟持するようになっている。これにより、前記分岐線支持具は、複数の分岐線を一箇所に集めた状態で前記設置物に間接的に支持させることができるようになっている。
【先行技術文献】
【特許文献】
【０００４】
【特許文献１】特開２００６−２１７６８７号公報
【発明の概要】
【発明が解決しようとする課題】
【０００５】
しかしながら、上記構成の分岐線支持具は、分岐線の取り付けや、取り外し等の作業を行う際に、工具を用いてナット部材を操作するといった煩雑な作業が必要である。そして、このような問題に鑑み、複数の幹線のそれぞれから分岐された複数の分岐線を帯状又は線状の長尺体によって一つに束ねたうえで、前記設置物に括り付けられることがあるが、需要者に電力を供給するための分岐線のそれぞれには、動力用、電灯用、接地用等の異なる用途があり、上述のように、長尺体で複数の分岐線を一つに束ねると分岐線のそれぞれが一定の配置にならず、配線するにあたって各分岐線の用途を確認することが困難になってしまう。
【０００６】
そこで、本発明は、かかる実情に鑑み、簡単な作業で、複数の分岐線を所定の位置に配置しつつ設置物に支持させることのできる分岐線支持具を提供することを課題とする。
【課題を解決するための手段】
【０００７】
本発明に係る分岐線支持具は、複数の幹線から分岐された用途の異なる複数の分岐線のそれぞれを所定位置に配置すべく、分岐線を配置する配置領域が複数設定された支持具本体を備えた分岐線支持具において、前記支持具本体は、前記複数の分岐線の周辺に設置された設置物の外面上に配置されるベースと、前記複数の配置領域を形成する配置領域形成体とを備え、該配置領域形成体は、前記ベースから延出する第一区画部と、該第一区画部が延出する方向と交差する方向に該第一区画部から延出する複数の第二区画部とを備え、前記第一区画部及び前記複数の第二区画部が複数の配置領域を区画するとともに、前記第一区画部及び前記複数の第二区画部の少なくとも何れか一つが帯状又は線状の長尺体を挿通可能に構成されていることを特徴とする。
【０００８】
上記構成の分岐線支持具によれば、前記ベースが設置物の外面に配置された状態で、第一区画部が外方に延出し、第二区画部が該第一区画部に対して交差する方向に延出することになる。従って、第一区画部及び第二区画部によって区画された複数の配置領域のそれぞれは、上下方向及び外側で開放した状態になる。これにより、幹線から垂れ下がった各分岐線を各配置領域に配置できる。そして、前記分岐線支持具は、各配置領域に分岐線を配置した状態で前記第一区画部及び前記複数の第二区画部の少なくとも何れか一つに長尺体を挿通し、該長尺体で各配置領域に配置された分岐線及び設置物を取り囲んだうえで、該長尺体の一端側と他端側とを連結することで、各配置領域に配置された分岐線が前記長尺体に包囲された状態で設置物に結束され、各分岐線が配置領域内（所定位置）に維持することになる。従って、各配置領域に対し、配置される分岐線の用途を定めておくことで各分岐線の用途を容易に判別することができる。
【０００９】
本発明の一態様として、配置領域形成体は、第一区画部及び前記複数の第二区画部のそれぞれが前記長尺体を挿通可能に構成され、第一区画部及び第二区画部に挿通された前記長尺体が各配置領域に配置された分岐線の外周に圧接するように構成されてもよい。このようにすれば、配置領域内の分岐線が長尺体によって前記第一区画部及び第二区画部に押さえ付けられた状態になり、分岐線を配置領域に固定することができる。また、この場合、長尺体が第一区画部及び第二区画部に対する挿通位置を支点にして外側に屈曲した態様になることが好ましい。このようにすれば、配置領域内にある分岐線に対する長尺体の圧接範囲が広くなり、分岐線をより確実に固定することができる。
【００１０】
この場合、前記第一区画部及び前記複数の第二区画部は、長尺体を挿通する部分に対して先端側で隣接し、基端側に向かって突出する円弧状に形成された保護部を備えてもよい。このようにすれば、長尺体が分岐線に圧接した状態で第一区画部及び第二区画部に対する挿通位置を支点にして外側に屈曲した態様になっても、前記第一区画部や、第二区画部との接触によって長尺体が損傷することを防止できる。
【００１１】
本発明の別の態様として、前記第二区画部は、第一区画部に対して着脱可能に構成してもよい。上記構成の分岐線支持具によれば、第二区画部が着脱可能に構成されているため、搬送や、保管を容易に行うことができる。また、前記分岐線支持具は、第一区画部と第二区画部との着脱位置を複数設けておけば、前記配置領域の大きさを配置する分岐線に合わせて適宜変更することができる。
【発明の効果】
【００１２】
以上のように、本発明に係る分岐線支持具は、簡単な作業で、複数の分岐線を所定の位置に配置しつつ設置物に支持させることができるという優れた効果を奏し得る。
【図面の簡単な説明】
【００１３】
【図１】本発明の第一実施形態に係る分岐線支持具の斜視図を示す。
【図２】同実施形態に係る分岐線支持具の平面図であって、分岐線支持具を用いて複数の分岐線を設置物に支持させている状態の平面図を示す。
【図３】本発明の第二実施形態に係る分岐線支持具の斜視図を示す。
【図４】同実施形態に係る分岐線支持具のベース及び第一区画部の斜視図を示す。
【図５】同実施形態に係る分岐線支持具の第二区画部の正面図であって、（ａ）は、挿通穴及び保護部を形成する以前の第二区画部の正面図を示し、（ｂ）は、挿通穴及び保護部を形成した後の第二区画部の正面図を示す。
【図６】同実施形態に係る分岐線支持具の平面図であって、分岐線支持具を用いて複数の分岐線を設置物に支持させている状態の平面図を示す。
【図７】本発明の他態様に係る分岐線支持具の平面図であって、分岐線支持具を用いて複数の分岐線を設置物に支持させている状態の平面図を示す。
【発明を実施するための形態】
【００１４】
以下、本発明の第一実施形態に係る分岐線支持具について、添付図面を参照しつつ説明する。
【００１５】
本実施形態に係る分岐線支持具は、図１及び図２に示すように、複数の幹線（図示しない）から分岐された用途の異なる複数の分岐線Ｃ，Ｃ…（図２参照）を配置する配置領域Ｄ，Ｄ…が複数設定された支持具本体１を備えている。また、前記分岐線支持具は、前記複数の分岐線Ｃ，Ｃ…を周辺に配置された設置物Ａ（例えば、電柱や、電柱に取付けられた腕金等）に結束するための帯状又は線状の長尺体２をさらに備えている。
【００１６】
前記支持具本体１は、前記設置物Ａの外面上に配置されるベース１０と、前記配置領域Ｄを区画する配置領域形成体１１とを備えている。前記ベース１０は、一方向に長手をなした略矩形の枠状の部材で形成され、長手方向における両端部で屈曲させた態様になっている。
【００１７】
具体的に説明すると、本実施形態におけるベース１０は、棒状に形成されて互いに平行するように配置された一対のベース本体部１００と、該ベース本体部１００の長手方向における一端部同士及び他端部同士に連結した一対の傾斜部１０１ａ，１０１ｂとを備えている。
【００１８】
一方の傾斜部１０１ａは、コの字状に形成され、両端が一対のベース本体部１００，１００のそれぞれの一端に連結されている。さらに、一方の前記傾斜部１０１ａは、前記ベース本体部１００，１００に対して傾斜するように設けられている。また、他方の傾斜部１０１ｂについても、コの字状に形成され、両端が一対のベース本体部１００，１００のそれぞれの他端に連結されている。さらに、他方の前記傾斜部１０１ｂは、前記ベース本体部１００，１００に対して傾斜するように設けられている。これにより、本実施形態に係るベース１０は、各ベース部本体部１００，１００と各傾斜部１０１ａ，１０１ｂとが円柱状の設置物（例えば電柱）Ａに当接できるように構成されている。
【００１９】
前記配置領域形成体１１は、前記ベース１０から延出する第一区画部１２と、該第一区画部１２が延出する方向（以下、延出方向という）と交差する方向（以下、交差方向という）に該第一区画部１２から延出する複数の第二区画部１３ａ，１３ｂとを備えている。本実施形態では、二つの第二区画部１３ａ，１３ｂを備えている。本実施形態の配置領域形成体１１は、第一区画部１２の両側に二つの第二区画部１３ａ，１３ｂが一列に並ぶように設けられている。これに伴い、前記配置領域形成体１１は、該二つの第二区画部１３ａ，１３ｂを一体的に形成するための構成として第二区画部形成体１３が前記第一区画部１２に取付けられている。
【００２０】
前記第一区画部１２は、一方向に長手をなした略矩形の枠状に形成されている。また、前記第一区画部１２は、長手方向に延びる二つの辺のそれぞれの一端が、前記ベース本体部１００，１００に連結され、ベース本体部１００，１００に対して直角になっている。
【００２１】
前記第二区画部形成体１３は、一方向に長手をなした略矩形の枠状に形成されている。前記第二区画部形成体１３は、長手方向における中央部が前記第一区画部１２の長手方向における中央部と直交するようにして第一区画部１２に取付けられている。
【００２２】
これにより、前記第二区画部形成体１３は、延出方向と直交する方向に第一区画部１２から延出する二つの第二区画部１３ａ，１３ｂを形成している。本実施形態では、略矩形の枠状に形成された第二区画部形成体１３の長手方向における中央部が前記第一区画部１２に接続されることで、該第一区画部１２の両側に二つの前記第二区画部１３ａ，１３ｂを形成するように構成されているため、各第二区画部１３ａ，１３ｂは、コの字状に形成され、両端が第一区画部１２に接続された状態になっている。
【００２３】
本実施形態に係る配置領域形成体１１は、図２に示す如く、第一区画部１２及び第二区画部１３ａ，１３ｂによって前記配置領域Ｄ，Ｄ…が区画されている。すなわち、本実施形態では、第一区画部１２及び第二区画部１３ａ，１３ｂによって区画された配置領域Ｄ，Ｄ…が四つの配置領域が区画されている。
【００２４】
そして、前記配置領域形成体１１は、前記第一区画部１２の先端部及び第二区画部１３ａ，１３ｂの先端部を結ぶ仮想線Ｌ１，Ｌ１が配置領域Ｄ，Ｄに配置される分岐線Ｃ，Ｃ上を通るように構成されている。本実施形態においては、前記仮想線Ｌ１，Ｌ１に加えて、第二区画部１３ａとベース１０の一端部とを結ぶ仮想線Ｌ２、及び第二区画部１３ｂとベース１０の他端部とを結ぶ仮想線Ｌ２についても、配置領域Ｄ，Ｄに配置される分岐線Ｃ，Ｃ上を通るように支持具本体１が構成されている。
【００２５】
上記条件を満足させるべく、本実施形態においては、第一区画部１２の中央に対して第二区画部１３ａ，１３ｂが接続されることを前提に、前記第一区画部１２は、長手方向における長さが配置領域Ｄ，Ｄ…に配置された分岐線Ｃ，Ｃ…のうち、前記延出方向において隣り合う分岐線Ｃ，Ｃの直径の合計よりも短くなるように設定されている。また、前記第二区画部形成体１３は、長手方向における長さが配置領域Ｄ，Ｄ…に配置された分岐線Ｃ，Ｃ…のうち、前記交差方向において隣り合う分岐線Ｃ，Ｃの直径の合計よりも短くなるように設定されている。
【００２６】
そして、本実施形態に係る支持具本体１は、ベース本体１０及び第一区画部１２が枠状に形成され、各第二区画部１３ａ，１３ｂがコの字状に形成されることから、ベース本体１０の両端部、第一区画部１２の先端部、各第二区画部１３ａ，１３ｂの先端部に対して長尺体２を挿通することができるように構成されている。
【００２７】
前記長尺体２は、可撓性を有する素材で一方向に長手をなした帯状又は線状に形成される。本実施形態の長尺体２は、金属バンドで形成されている。
【００２８】
本実施形態に係る分岐線支持具は、以上の構成からなり、前記ベース１０が設置物Ａの外面に配置された状態で、第一区画部１２が外方に延出し、第二区画部１３ａ，１３ｂが該第一区画部１２に対して交差する方向に延出することになる。従って、第一区画部１２及び第二区画部１３ａ，１３ｂによって区画された複数の配置領域Ｄ，Ｄ…のそれぞれは、上下方向及び外側で開放した状態になる。これにより、幹線から垂れ下がった各分岐線Ｃ，Ｃ…を各配置領域Ｄ，Ｄ…に配置できる。
【００２９】
そして、前記分岐線支持具は、各配置領域Ｄ，Ｄ…に分岐線Ｃ，Ｃ…を配置した状態で前記第一区画部１２及び前記複数の第二区画部１３ａ，１３ｂに長尺体２を挿通する。本実施形態においては、前記第一区画部１２及び前記複数の第二区画部１３ａ，１３ｂに挿通した長尺体２をベース１０にも挿通する。そして、該長尺体２で各配置領域Ｄ，Ｄ…に配置された分岐線Ｃ，Ｃ…及び設置物Ａを取り囲んだうえで、該長尺体２の一端側と他端側とを連結することで、各配置領域Ｄ，Ｄ…に配置された分岐線Ｃ，Ｃ…が前記長尺体２に包囲された状態で設置物Ａに結束され、各分岐線Ｃ，Ｃ…が配置領域内Ｄ，Ｄ…（所定位置）に維持することになる。
【００３０】
本実施形態においては、第一区画部１２の中央に対して第二区画部１３ａ，１３ｂが接続されることを前提に、前記第一区画部１２は、長手方向における長さが配置領域Ｄ，Ｄ…に配置された分岐線Ｃ，Ｃ…のうち、前記延出方向において隣り合う分岐線Ｃ，Ｃの直径の合計よりも短くなるように設定され、前記第二区画部形成体１３は、長手方向における長さが配置領域Ｄ，Ｄ…に配置された分岐線Ｃ，Ｃ…のうち、前記交差方向において隣り合う分岐線Ｃ，Ｃの直径の合計よりも短くなるように設定されているため、第一区画部１２及び第二区画部１３ａ，１３ｂに挿通された前記長尺体２が各配置領域Ｄ，Ｄ…に配置された分岐線Ｃ，Ｃ…の外周に圧接することになる。すなわち、本実施形態では、長尺体２が第一区画部１２及び第二区画部１３ａ，１３ｂに対する挿通位置を支点にして外側に屈曲した態様となり、長尺体２が分岐線Ｃ，Ｃ…に対して広い範囲で圧接する。これにより、配置領域内Ｄ，Ｄ…の分岐線が長尺体２によって前記第一区画部１２及び第二区画部１３ａ，１３ｂに押さえ付けられた状態になり、各分岐線Ｃ，Ｃ…が配置領域Ｄ，Ｄ…で固定されることになる。従って、本実施形態に係る分岐線支持具は、各配置領域Ｄ，Ｄ…に対し、配置される分岐線Ｃ，Ｃ…の用途を定めておくことで各分岐線Ｃ，Ｃ…の用途を容易に判別することができる。
【００３１】
続いて、本発明の第二実施形態に係る分岐線支持具について添付図面を参照しつつ説明する。本実施形態に係る分岐線支持具は、図３及び図６に示すように、複数の幹線（図示しない）から分岐された用途の異なる複数の分岐線Ｃ，Ｃ…を配置する配置領域Ｄ，Ｄ…が複数設定された支持具本体１を備えている。また、前記分岐線支持具は、前記複数の分岐線Ｃ，Ｃ…を周辺に配置された設置物Ａ（例えば、電柱や、電柱に取付けられた腕金等）に結束するための帯状又は線状の長尺体２をさらに備えている。
【００３２】
前記支持具本体１は、前記設置物Ａの外面上に配置されるベース１０と、前記配置領域Ｄを区画する配置領域形成体１１とを備えている。前記ベース１０は、一方向に長手をなした略矩形の板状の部材で形成され、長手方向における両端部で屈曲させた態様になっている。
【００３３】
具体的に説明すると、本実施形態に係るベース１０は、一方向に長手をなし、略矩形の板状に形成されたベース本体部１００と、該ベース本体部１００の両端部に一体的に設けられた一対の傾斜部１０１ａ，１０１ｂとを備えている。
【００３４】
一方の傾斜部１０１ａは、一方向に長手をなした略矩形の板状に形成され、長手方向と直交する方向における一端部がベース本体部１００の長手方向における一端に連結されている。一方の傾斜部１０１ａは、前記ベース本体部１００の長手方向に対して傾斜するように設けられている。また、他方の傾斜部１０１ｂについても、一方向に長手をなした略矩形の板状に形成され、長手方向と直交する方向における一端部がベース本体部１００の長手方向における他端に連結されている。また、他方の前記傾斜部１０１ｂは、前記ベース本体部１００の長手方向に対して傾斜するように設けられている。これにより、本実施形態に係るベース１０は、各ベース部本体部１００と各傾斜部１０１ａ，１０１ｂとが円柱状の設置物（例えば、電柱）Ａに当接できるように構成されている。
【００３５】
前記ベース本体部１００は、前記長尺体２を挿通するための挿通穴１０２ａ，１０２ｂが長手方向における両端部に形成されている。本実施形態では、該挿通穴１０２ａ，１０２ｂは、ベース１０の長手方向に直交する方向に長手をなすように形成されている。
【００３６】
前記配置領域形成体１１は、前記ベース１０から延出する第一区画部１２と、該第一区画部１２が延出する方向（以下、延出方向という）と交差する方向（以下、交差方向という）に該第一区画部１２から延出する複数の第二区画部１３ａ，１３ｂとを備えている。本実施形態では、二つの第二区画部１３ａ，１３ｂを備えている。本実施形態の配置領域形成体１１は、第一区画部１２の両側に二つの第二区画部１３ａ，１３ｂが一列に並ぶように設けられている。これに伴い、前記配置領域形成体１１は、該二つの第二区画部１３ａ，１３ｂを一体的に形成するための構成として第二区画部形成体１３が前記第一区画部１２に取付けられている。
【００３７】
前記第一区画部１２は、一方向に長手をなし、略矩形の板状に形成されている。前記第一区画部１２は、長手方向の一端が前記ベース本体部１００に取付けられ、ベース本体部１００に対して直角になっている。また、前記第一区画部１２は、他端部（先端部）に前記長尺体２を挿通するための挿通穴１２０が形成されている。前記挿通穴１２０は、第一区画部１２の長手方向に直交する方向に長手をなすように形成される。
【００３８】
そして、前記第一区画部１２は、図４に示す如く、長手方向における中央部に、該長手方向に直交する方向における一端側から他端側に向かって形成された一切欠部１２２が形成されている。また、該第一切欠部１２５は、後述する第二区画部形成体１３を嵌合可能に形成されている。
【００３９】
前記第二区画部形成体１３は、一方向に長手をなした略矩形の板状に形成されている。また、前記第二区画部形成体１３は、長手方向における中央部が前記第一区画部１２の長手方向における中央部と直交するようにして第一区画部１２に取付けられている。これに伴い、図５（ａ）、図５（ｂ）に示す如く、前記前記第二区画部形成体１３には、長手方向における中央部に、該長手方向に直交する方向における一端側から他端側に向かって形成された第二切欠部１３４が形成されている。
【００４０】
本実施形態に係る第二区画部形成体１３は、前記第二切欠部１３４に第一区画部１２が嵌め合わされるとともに、前記第一切欠部１２２に嵌め込まれる。これにより、前記第二区画部形成体１３は、前記第一区画部１２によって、長手方向における中央部で二つに区切られて第一区画部１２の両側に第二区画部１３ａ，１３ｂが形成されるようになっている。
【００４１】
そして、前記第二区画部形成体１３は、一方向に長手をなし、略矩形の板状に形成されている。また、前記第二区画部形成体１３は、前記長尺体２を挿通するための挿通穴１３０ａ，１３０ｂが長手方向における両端部に形成されている。
【００４２】
そして、前記配置領域形成体１１は、図６に示す如く、前記第一区画部１２の先端部（挿通穴１２０）及び第二区画部１３ａ，１３ｂの先端部（挿通穴１３０ａ，１３０ｂ）を結ぶ仮想線Ｌ１，Ｌ１が配置領域Ｄ，Ｄに配置される分岐線Ｃ，Ｃ上を通るように構成されている。本実施形態においては、前記仮想線Ｌ１，Ｌ１に加えて、第二区画部１３ａの先端部（挿通穴１３０ａ）とベース１０の一端部（挿通穴１０２ａ）とを結ぶ仮想線Ｌ２、及び第二区画部１３ｂの先端部（挿通穴１３０ｂ）とベース１０の他端部（挿通穴１０２ｂ）とを結ぶ仮想線Ｌ２についても、配置領域Ｄ，Ｄに配置される分岐線Ｃ，Ｃ上を通るように支持具本体１が構成されている。
【００４３】
上記条件を満足させるべく、本実施形態においては、第一区画部１２の中央に対して第二区画部１３ａ，１３ｂが接続されることを前提に、前記第一区画部１２は、基端部から挿通穴１２０までの距離が配置領域Ｄ，Ｄ…に配置された分岐線Ｃ，Ｃ…のうち、前記延出方向において隣り合う分岐線Ｃ，Ｃの直径の合計よりも短くなるように設定されている。また、前記第二区画部形成体１３は、一方の挿通穴１３０ａから他方の挿通穴１３０ｂまでの距離が配置領域Ｄ，Ｄ…に配置された分岐線Ｃ，Ｃ…のうち、前記交差方向において隣り合う分岐線Ｃ，Ｃの直径の合計よりも短くなるように設定されている。
【００４４】
本実施形態において、前記第一区画部及１２及び前記複数の第二区画部１３は、図３に示す如く、長尺体２を挿通する部分（挿通穴１２０，１３０ａ，１３０ｂ）の先端側に隣接し、第一区画部１２側に向かって突出する円弧状に形成された保護部１２１，１３１ａ，１３１ｂを備えている。
【００４５】
ここで、前記保護部１３１ａ，１３１ｂの形成方法について説明すると、前記第二区画部形成体１３は、図５（ａ）に示す如く長手方向における両端部に切込部１３２，１３２が形成されることによって、折り曲げ可能な保護部形成領域１３３，１３３が形成される。
【００４６】
本実施形態において、前記切込部１３２は、第二区画部形成体１３の長手方向に直交する方向における端部に沿って形成された第一切込部１３２ａと、該第一切込部１３２ａの両端部から第二区画部形成体１３の長手方向に沿って形成された第二切込部１３２ｂ，１３２ｂとによって形成される。これに伴い、第二区画部形成体１３には、前記保護部形成領域１３３が形成されることになる。
【００４７】
そして、前記保護部形成領域１３３は、図３、図５（ｂ）及び図６に示す如く、第二区画部形成体１３の長手方向における外側に湾曲させ、第二区画部形成体１３の長手方向における端部を略中心とした筒状に形成される。これにより、前記第二区画部形成体１３の長手方向における両端部には、前記保護部１３１ａ，１３１ｂが形成される。また、第一区画部１２に設けられた保護部１２１についても上記と同様の方法で形成される。
【００４８】
本実施形態に係る分岐線支持具は、以上の構成からなり、図６に示す如く、前記ベース１０が設置物Ａの外面に配置された状態で、第一区画部１２が外方に延出し、第二区画部１３ａ，１３ｂが該第一区画部１２に対して交差する方向に延出することになる。従って、第一区画部１２及び第二区画部１３ａ，１３ｂによって区画された複数の配置領域Ｄ，Ｄ…のそれぞれは、上下方向及び外側で開放した状態になる。これにより、幹線から垂れ下がった各分岐線Ｃ，Ｃ…を各配置領域Ｄ，Ｄ…に配置できる。
【００４９】
そして、前記分岐線支持具は、各配置領域Ｄ，Ｄ…に分岐線Ｃ，Ｃ…を配置した状態で前記第一区画部１２及び前記複数の第二区画部１３ａ，１３ｂの挿通穴１３０ａ，１３０ｂに長尺体２を挿通する。本実施形態においては、前記第一区画部１２及び前記複数の第二区画部１３ａ，１３ｂに挿通した長尺体２をベース１０の挿通穴１０２ａ，１０２ｂにも挿通する。そして、該長尺体２で各配置領域Ｄ，Ｄ…に配置された分岐線Ｃ，Ｃ…及び設置物Ａを取り囲んだうえで、該長尺体２の一端側と他端側とを連結することで、各配置領域Ｄ，Ｄ…に配置された分岐線Ｃ，Ｃ…が前記長尺体２に包囲された状態で設置物Ａに結束され、各分岐線Ｃ，Ｃ…が配置領域内Ｄ，Ｄ…（所定位置）に維持することになる。
【００５０】
本実施形態においては、第一区画部１２の中央に対して第二区画部１３ａ，１３ｂが接続されることを前提に、前記第一区画部１２は、長手方向における長さが配置領域Ｄ，Ｄ…に配置された分岐線Ｃ，Ｃ…のうち、前記延出方向において隣り合う分岐線Ｃ，Ｃの直径の合計よりも短くなるように設定され、前記第二区画部形成体１３は、長手方向における長さが配置領域Ｄ，Ｄ…に配置された分岐線Ｃ，Ｃ…のうち、前記交差方向において隣り合う分岐線Ｃ，Ｃの直径の合計よりも短くなるように設定されているため、第一区画部１２及び第二区画部１３ａ，１３ｂの挿通穴１３０ａ，１３０ｂに挿通された前記長尺体２が各配置領域Ｄ，Ｄ…に配置された分岐線Ｃ，Ｃ…の外周に圧接することになる。すなわち、本実施形態では、長尺体２が第一区画部１２及び第二区画部１３ａ，１３ｂの挿通穴１３０ａ，１３０ｂの位置を支点にして外側に屈曲した態様となり、長尺体２が分岐線Ｃ，Ｃ…に対して広い範囲で圧接する。これにより、配置領域内Ｄ，Ｄ…の分岐線が長尺体２によって前記第一区画部１２及び第二区画部１３ａ，１３ｂに押さえ付けられた状態になり、各分岐線Ｃ，Ｃ…が配置領域Ｄ，Ｄ…で固定されることになる。従って、本実施形態に係る分岐線支持具は、各配置領域Ｄ，Ｄ…に対し、配置される分岐線Ｃ，Ｃ…の用途を定めておくことで各分岐線Ｃ，Ｃ…の用途を容易に判別することができる。
【００５１】
また、本実施形態において、前記第一区画部１２及び前記複数の第二区画部１３ａ，１３ｂは、長尺体２を挿通する部分に対して先端側で隣接し、基端側に向かって突出する円弧状に形成された保護部１２１、１３１ａ，１３１ｂを備えているため、長尺体２が分岐線Ｃ，Ｃ…に圧接した状態で第一区画部１２及び第二区画部１３ａ，１３ｂに対する挿通位置を支点にして外側に屈曲した態様になっても、前記第一区画部１２や、第二区画部１３ａ，１３ｂとの接触することによる長尺体２の損傷を防止できる。
【００５２】
さらに、本実施形態において、前記第二区画部１３ａ，１３ｂは、第一区画部１２に対して着脱可能に構成されているため、搬送や保管を容易に行うことができる。なお、前記分岐線支持具は、第一区画部１２と第二区画部１３ａ，１３ｂとの着脱位置を複数設けておけば、前記配置領域Ｄ，Ｄ…の大きさを配置する分岐線に合わせて適宜変更することができる。
【００５３】
なお、本発明の分岐線支持具は、上記第一及び第二実施形態に限定されるものではなく、本発明の要旨を逸脱しない範囲内において種々変更を加え得ることは勿論のことである。
【００５４】
上記第一及び第二実施形態において、長尺体２を第一区画部１２、及び第二区画部１３ａ，１３ａの先端部の全てに挿通するようにしたが、これに限定されるものではなく、例えば、これらの何れか一つに挿通するようにしてもよい。また、第一区画部１２及び第二区画部１３ａ，１３ｂの先端部に長尺体２を挿通するものに限定されなく、途中位置に長尺体２を挿通してもよい。
【００５５】
また、上記第一及び第二実施形態において、配置領域Ｄ，Ｄ…の全てに分岐線Ｃ，Ｃ…を配置することを前提としていたが、これに限定されるものではなく、例えば、ベース１０，１０側の二つの配置領域Ｄ，Ｄと、前記第一区画部１２，１２の先端部側の配置領域の何れか一方に分岐線Ｃ，Ｃ…を配置するようにしてもよい。なお、このようにする場合は、分岐線Ｃが配置されなかった配置領域Ｄには、分岐線Ｃと略同等の直径の筒状に形成された部材を配置してもよい。
【００５６】
また、上記第一実施形態及び第二実施形態において、前記第一区画部１２，１２及び第二区画部１３ａ，１３ｂ，１３ａ，１３ｂは、四つの配置領域Ｄ，Ｄ…を区画するように構成されていたが、これに限定されるものではなく、例えば、第一区画部１２，１２の先端から第二区画部１３ａ，１３ｂ，１３ａ，１３ｂが延出するように構成することによって、三つの配置領域Ｄ，Ｄ…を形成するようにしてもよい。
【００５７】
また、上記第一実施形態において、二つの第二区画部１３ａ，１３ｂを第二区画部形成体１３で形成したが、これに限定されるものではなく、例えば、各区画部１３ａ，１３ｂを独立した部材で構成してもよい。
【００５８】
また、上記第一実施形態において、第一区画部１２，１２に対して第二区画部形成体１３，１３を一つ取付けていたが、これに限定されるものではなく、図７に示すように第二区画部形成体１３，１３を二つ（第二区画部１３ａ，１３ｂを四つ）取付けることで、配置領域Ｄを六つ形成してもよい。また、第二区画部形成体１３を三つ以上（第二区画部１３ａ，１３ｂを六つ以上）設けて、配置領域Ｄを八つ以上形成してもよい。また、第一区画部１２の先端から枝分かれするように二つの第二区画部１３ａ，１３ｂを設けて、配置領域形成体１１をＹ字状に形成し、配置領域Ｄを三つ形成してもよい。
【００５９】
また、上記第一実施形態において、特に言及しなかったが、第一区画部１２の先端部、及び第二区画部形成体１３の先端部に、筒状に形成され、かつ中心線方向に沿って切り込みが形成されている部材を取り付けて保護部としてもよい。
【００６０】
また、上記第二実施形態において、保護部１３１ａ，１３１ｂは、保護部形成領域１３３，１３３を湾曲させることで形成されていたが、これに限定されるものではなく、例えば、前記挿通穴１３０ａ，１３０ｂを打ち抜いて形成した後に、別体で形成された筒状の部材を取り付けて保護部としてもよい。
【００６１】
なお、このようにする場合は、筒状に形成された部材に中心線に沿って切り込みを入れる等の加工が必要となる。また、前記第一区画部１２についても、このようにして別体で形成した筒状の部材を取付けて保護部としてもよい。
【符号の説明】
【００６２】
１，１…支持具本体、２…長尺体、１０，１０…ベース、１１…配置領域形成体、１２，１２…第一区画部、１３，１３…第二区画部形成体、１３ａ，１３ｂ，１３ａ，１３ｂ…第二区画部、１００，１００…ベース本体部、１０１ａ，１０１ｂ，１０１ａ，１０１ｂ…傾斜部、１０２ａ，１０２ｂ…挿通穴、１２０…挿通穴、１２１…保護部、１２２…第一切欠部、１３０ａ，１３０ｂ…挿通穴、１３１ａ，１３１ｂ…保護部、１３２…切込部、１３２ａ…第一切込部、１３２ｂ…第二切込部、１３３…保護部形成領域、１３４…第二切欠部、Ａ…設置物、Ｃ…分岐線、Ｄ…配置領域、Ｌ１，Ｌ２…仮想線
【図１】
2012161152.tif 000003
【図２】
2012161152.tif 000004
【図３】
2012161152.tif 000005
【図４】
2012161152.tif 000006
【図５】
2012161152.tif 000007
【図６】
2012161152.tif 000008
【図７】
2012161152.tif 000009